(57)【要約】  基地局において、DCI生成部は、データ（PDSCH）を割り当てるリソース領域の複数のパターン（Mode）の中からデータを割り当てる際に使用する１つのパターン（Mode）を選択し、送信部は、複数のパターン（Mode）に関する設定情報を上位レイヤのシグナリングによって通知し、複数のパターンの中から選択された１つのパターン（Mode）を下り制御信号（DCI）によって通知する。
2018168189.tif 000002
【特許請求の範囲】
【請求項１】
データを割り当てるリソース領域の複数のパターンの中からデータ割当に使用する１つのパターンを選択する回路と、
前記複数のパターンに関する設定情報を上位レイヤシグナリングによって通知し、前記選択された１つのパターンを下り制御信号（DCI）によって通知する送信機と、
を具備する基地局。
【請求項２】
前記設定情報は、下りリンクの前記データが割り当てられる時間領域の開始位置を示す、
請求項１に記載の基地局。
【請求項３】
前記設定情報は、下りリンクの制御信号が割り当てられる周波数領域、当該周波数領域において下りリンクの前記データが割り当てられる時間領域の開始位置、及び、当該周波数領域以外の周波数領域において下りリンクの前記データが割り当てられる時間領域の開始位置を示す、
請求項１に記載の基地局。
【請求項４】
前記設定情報は、下りリンクシンボル、上りリンクシンボル又は他の用途に使用されるシンボルによって構成されるスロット内のシンボル構成の複数のパターンを示す、
請求項１に記載の基地局。
【請求項５】
前記設定情報は、スロット内における、下りリンク、上りリンク又は他の用途に使用される周波数帯の構成の複数のパターンを示す、
請求項１に記載の基地局。
【請求項６】
前記設定情報は、スロット内の一部のリソース領域を示し、
前記複数のパターンは、前記一部のリソース領域に前記データを割り当てるパターン、及び、前記一部のリソース領域に前記データを割り当てないパターンを含む、
請求項１に記載の基地局。
【請求項７】
前記設定情報は、上りリンクの前記データが割り当てられる時間領域の終了位置を示す、
請求項１に記載の基地局。
【請求項８】
前記設定情報は、上りリンクの制御信号が割り当てられる周波数領域、当該周波数領域において上りリンクの前記データが割り当てられる時間領域の終了位置、及び、当該周波数領域以外の周波数領域において上りリンクの前記データが割り当てられる時間領域の終了位置を示す、
請求項１に記載の基地局。
【請求項９】
データを割り当てるリソース領域の複数のパターンに関する設定情報を含む上位レイヤシグナリングを受信し、前記複数のパターンの中からデータ割当に使用する１つのパターンを示す下り制御信号（DCI）を受信する受信機と、
前記設定情報及び前記下り制御信号に基づいて、前記データが割り当てられるリソースを特定する回路と、
を具備する端末。
【請求項１０】
データを割り当てるリソース領域の複数のパターンの中からデータ割当に使用する１つのパターンを選択し、
前記複数のパターンに関する設定情報を上位レイヤシグナリングによって通知し、前記選択された１つのパターンを下り制御信号（DCI）によって通知する、
通信方法。
【請求項１１】
データを割り当てるリソース領域の複数のパターンに関する設定情報を含む上位レイヤシグナリングを受信し、前記複数のパターンの中からデータ割当に使用する１つのパターンを示す下り制御信号（DCI）を受信し、
前記設定情報及び前記下り制御信号に基づいて、前記データが割り当てられるリソースを決定する、
通信方法。
【発明の詳細な説明】
【技術分野】
【０００１】
本開示は、基地局、端末及び通信方法に関する。
【背景技術】
【０００２】
第５世代移動通信システム（5G）と呼ばれる通信システムが検討されている。5Gでは、通信トラフィックの増大、接続する端末数の増大、高信頼性、低遅延のそれぞれが必要とされるユースケース毎に機能を柔軟に提供することが検討されている。代表的なユースケースとして、拡張モバイルブロードバンド（eMBB：enhanced Mobile Broadband）、大規模コミュニケーション/多数接続（mMTC：massive Machin Type Communications）、超信頼性・低遅延コミュニケーション（URLLC：Ultra Reliable and Low Latency Communicant)の３つがある。国際標準化団体である3GPP（3rd Generation Partnership Project）では、LTEシステムの高度化と、New RAT（Radio Access Technology）（例えば、非特許文献１を参照）の両面から、通信システムの高度化を検討している。
【先行技術文献】
【非特許文献】
【０００３】
【非特許文献１】RP-161596, "Revision of SI: Study on New Radio Access Technology", NTT DOCOMO, September 2016
【発明の概要】
【０００４】
New RATでは、データ領域（例えば、シンボル位置）を通知する方法について検討する必要がある。
【０００５】
本開示の一態様は、データ領域を適切に通知することができる基地局、端末及び通信方法の提供に資する。
【０００６】
本開示の一態様に係る基地局は、データを割り当てるリソース領域の複数のパターンの中からデータ割当に使用する１つのパターンを選択する回路と、前記複数のパターンに関する設定情報を上位レイヤシグナリングによって通知し、前記選択された１つのパターンを下り制御信号（DCI）によって通知する送信機と、を具備する。
【０００７】
本開示の一態様に係る端末は、データを割り当てるリソース領域の複数のパターンに関する設定情報を含む上位レイヤシグナリングを受信し、前記複数のパターンの中からデータ割当に使用する１つのパターンを示す下り制御信号（DCI）を受信する受信機と、前記設定情報及び前記下り制御信号に基づいて、前記データが割り当てられるリソースを特定する回路と、を具備する。
【０００８】
本開示の一態様に係る通信方法は、データを割り当てるリソース領域の複数のパターンの中からデータ割当に使用する１つのパターンを選択し、前記複数のパターンに関する設定情報を上位レイヤシグナリングによって通知し、前記選択された１つのパターンを下り制御信号（DCI）によって通知する。
【０００９】
本開示の一態様に係る通信方法は、データを割り当てるリソース領域の複数のパターンに関する設定情報を含む上位レイヤシグナリングを受信し、前記複数のパターンの中からデータ割当に使用する１つのパターンを示す下り制御信号（DCI）を受信し、前記設定情報及び前記下り制御信号に基づいて、前記データが割り当てられるリソースを決定する。
【００１０】
なお、これらの包括的または具体的な態様は、システム、装置、方法、集積回路、コンピュータプログラム、または、記録媒体で実現されてもよく、システム、装置、方法、集積回路、コンピュータプログラムおよび記録媒体の任意な組み合わせで実現されてもよい。
【００１１】
本開示の一態様によれば、データ領域を適切に通知することができる。
【００１２】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１３】
【図１】図１は、実施の形態１に係る基地局の一部の構成を示す。
【図２】図２は、実施の形態１に係る端末の一部の構成を示す。
【図３】図３は、実施の形態１に係る基地局の構成を示す。
【図４】図４は、実施の形態１に係る端末の構成を示す。
【図５】図５は、実施の形態１に係る基地局及び端末の動作例を示す。
【図６Ａ】図６Ａは、実施の形態１の動作例１に係るデータ割当の一例を示す。
【図６Ｂ】図６Ｂは、実施の形態１の動作例１に係るデータ割当の一例を示す。
【図７】図７は、実施の形態１の動作例２に係るデータ割当の一例を示す。
【図８】図８は、実施の形態２に係るスロットの構成例を示す。
【図９Ａ】図９Ａは、実施の形態３に係るデータ割当の一例を示す。
【図９Ｂ】図９Ｂは、実施の形態３に係るデータ割当の一例を示す。
【図１０】図１０は、実施の形態４に係るデータ割当の一例を示す。
【発明を実施するための形態】
【００１４】
以下、本開示の実施の形態について図面を参照して詳細に説明する。
【００１５】
LTEでは、基地局がPCFICH（Physical Control Format Indicator channel）を用いてPDCCH（Physical Downlink Shared Channel）領域のシンボル数をダイナミックに通知し、PDCCH領域の次のシンボルからデータが送信される。また、LTEでは、CoMP（Coordinated Multiple Point）を適用するために又は干渉制御のために、データの開始シンボルを変更する場合、上位レイヤのシグナリングで、データの開始シンボルを通知することも可能である。
【００１６】
一方、New RATでは、スロット内のデータの開始シンボルを、DCI（Downlink control indicator）を用いて通知することが検討されている。DCIとしては、複数の端末（UE：User Equipment）が同時に受信することを想定している「group common PDCCH」、及び、各端末が個別に受信することを想定している「UE specific DCI」が検討されている。
【００１７】
しかしながら、New RATでは、DCI等の制御信号が配置される領域（control resource set）である「group common control resource set」又は「UE specific control resource set」は、システム帯域のうち、全周波数帯域ではなく、一部の周波数帯域に割り当てることが検討されている。したがって、control resource setが配置される領域と、control resource setが配置されない領域とでは、データ領域（データに使用できるシンボル数）が異なる。
【００１８】
端末（ユーザ）は、自機に割り当てられたUE specific control resource set又は自機が所属するグループのgroup common control resource setの領域を認識することができる一方で、他の端末に割り当てられているUE specific control resource setの領域又は、他の用途（例えば、Sidelink, URLLC, mMTC等）に使用される領域を認識することができない。例えば、基地局は、上位レイヤのシグナリングを用いて、端末に割り当てないリソース領域を通知し、当該リソース領域を避けてデータ割当を行うことも可能であるが、上位レイヤのシグナリングを用いたリソース領域の通知では、semi-staticな割り当てとなってしまう。New RATでは、スロット毎に異なる用途の使用が考えられるため、上位レイヤによる通知のみでは、リソースを柔軟に割り当てることができないという問題がある。
【００１９】
そこで、以下では、control resource setが配置される領域を考慮して、データ領域を適切に通知し、リソースを柔軟に割り当てる方法について説明する。
【００２０】
［通信システムの概要］
本開示の各実施の形態に係る通信システムは、基地局１００及び端末２００を備える。
【００２１】
図１は本開示の実施の形態に係る基地局１００の一部の構成を示すブロック図である。図１に示す基地局１００において、DCI生成部１０２は、データを割り当てるリソース領域の複数のパターン（Mode）の中からデータ割当に使用する１つのパターンを選択する。送信部１０６は、複数のパターンに関する設定情報を上位レイヤシグナリングによって通知し、選択された１つのパターンを下り制御信号（DCI）によって通知する。
【００２２】
図２は本開示の実施の形態に係る端末２００の一部の構成を示すブロック図である。図２に示す端末２００において、受信部２０１は、データを割り当てるリソース領域の複数のパターン（Mode）に関する設定情報を含む上位レイヤのシグナリングを受信し、複数のパターンの中からデータ割当に使用する１つのパターンを示す下り制御情報（DCI）を受信する。信号分離部２０２は、設定情報及び下り制御信号に基づいて、データが割り当てられるリソースを特定する。
【００２３】
（実施の形態１）
［基地局の構成］
図３は、本実施の形態に係る基地局１００の構成を示すブロック図である。図３において、基地局１００は、設定部１０１と、DCI生成部１０２と、誤り訂正符号化部１０３と、変調部１０４と、信号割当部１０５と、送信部１０６と、受信部１０７と、信号分離部１０８と、復調部１０９と、誤り訂正復号部１１０とを有する。
【００２４】
設定部１０１は、データを割り当てるリソース領域の複数のパターン（以下、「Mode」と呼ぶ）、及び、複数のModeにおいてデータを割り当てるリソース領域に関するパラメータを設定する。例えば、設定部１０１は、データ割当てから除外するリソース候補の周波数領域（例えば、PRB（Physical Resource Block））及び時間領域（例えば、シンボル）を設定する。そして、設定部１０１は、複数のModeに関する設定情報（例えば、上記周波数領域及び時間領域を示すパラメータ）を含む上位レイヤのシグナリング（SIB（System Information Block）又はdedicated RRC（Radio Resource Control））を生成する。設定部１０１は、上位レイヤのシグナリングを誤り訂正符号化部１０３へ出力し、設定情報をDCI生成部１０２、信号割当部１０５及び信号分離部１０８へ出力する。
【００２５】
DCI生成部１０２は、例えば、スロットあたりの制御信号量又はデータ量等の情報（図示せず）に基づいて、設定部１０１で設定された複数のModeの中から、端末２００向けのデータ割当に使用する１つのModeを選択（決定）し、選択したModeに対応するビット情報を生成する。
【００２６】
DCI生成部１０２は、DL（Downlink）データ信号又はUL（Uplink）データ信号のリソース割当情報（DL割当情報又はUL割当情報）、及び、選択したModeに対応するビット情報を含む下り制御信号（DCI）を生成し、DCIを信号割当部１０５へ出力する。また、DCI生成部１０２は、生成したDCIのうち、DL割当情報を信号割当部１０５に出力し、UL割当情報を信号分離部１０８へ出力する。
【００２７】
誤り訂正符号化部１０３は、送信データ信号（DLデータ信号）及び、設定部１０１から入力される上位レイヤのシグナリング（設定情報）を誤り訂正符号化し、符号化後の信号を変調部１０４へ出力する。
【００２８】
変調部１０４は、誤り訂正符号化部１０３から受け取る信号に対して変調処理を施し、変調後の信号を信号割当部１０５へ出力する。
【００２９】
信号割当部１０５は、DCI生成部１０２から入力されるDL割当情報に基づいて、変調部１０４から受け取るDLデータ信号、設定情報、又は、DCI生成部１０２から受け取る制御信号であるDCIを、下りリソースに割り当てる。具体的には、信号割当部１０５は、設定部１０１で設定された複数のModeのうち、DCI生成部１０２から入力されるDCIによって示されるMode（DCI生成部１０２で選択されたMode）に従って、データ割当てから除外するリソース以外のリソースにDLデータ信号を割り当てる。このようにして送信信号が形成される。形成された送信信号は、送信部１０６へ出力される。
【００３０】
送信部１０６は、信号割当部１０５から入力される送信信号に対してアップコンバート等の無線送信処理を施し、アンテナを介して端末２００へ送信する。
【００３１】
受信部１０７は、端末２００から送信された信号をアンテナを介して受信し、受信信号に対してダウンコンバート等の無線受信処理を施し、信号分離部１０８へ出力する。
【００３２】
信号分離部１０８は、DCI生成部１０２から入力される情報(Modeに対応するビット情報、及び、UL割当情報)、及び設定部１０１から入力される設定情報に基づいて、受信部１０７から受け取る受信信号からULデータ信号を分離する。具体的には、信号分離部１０８は、設定部１０１で設定された複数のModeのうち、DCI生成部１０２から入力されるDCIによって示されるMode（DCI生成部１０２で選択されたMode）に従って、ULデータ信号の割り当てから除外されたリソースを特定し、データ割当てから除外するリソース以外のリソースに配置された信号を分離して、復調部１０９へ出力する。
【００３３】
復調部１０９は、信号分離部１０８から入力される信号に対して復調処理を施し、得られた信号を誤り訂正復号部１１０へ出力する。
【００３４】
誤り訂正復号部１１０は、復調部１０９から入力される信号を復号し、端末２００からの受信データ信号（ULデータ信号）を得る。
【００３５】
［端末の構成］
図４は、本実施の形態に係る端末２００の構成を示すブロック図である。図４において、端末２００は、受信部２０１と、信号分離部２０２と、DCI受信部２０３と、復調部２０４と、誤り訂正復号部２０５と、設定情報受信部２０６と、誤り訂正符号化部２０７と、変調部２０８と、信号割当部２０９と、送信部２１０と、を有する。
【００３６】
受信部２０１は、受信信号をアンテナを介して受信し、受信信号に対してダウンコンバート等の受信処理を施した後に信号分離部２０２へ出力する。受信信号には、例えば、上位レイヤシグナリング（設定情報を含む）、又は、DCI（基地局１００で選択されたModeに対応するビット情報を含む）等が含まれる。
【００３７】
信号分離部２０２は、受信部２０１から受け取る受信信号からDCIが割り当てられる可能性のあるリソースに配置された信号を分離して、DCI受信部２０３へ出力する。また、信号分離部２０２は、DCI受信部２０３から入力される情報（基地局１００で選択されたModeに対応するビット情報、及び、DL割当情報）及び設定情報受信部２０６から入力される情報に基づいて、DLデータ信号の割り当てから除外されたリソースを特定し、DLデータ信号が割り当てられたリソースを特定する。そして、信号分離部２０２は、受信信号からDLデータ信号又は上位レイヤのシグナリングを分離して、復調部２０４へ出力する。
【００３８】
DCI受信部２０３は、信号分離部２０２から入力されるDCIが割り当てられる可能性のあるリソースの信号に対して復号を試みて、DCIを検出（受信）する。DCI受信部２０３は、受信したDCIに示されるUL割当情報を信号割当部２０９へ出力し、DL割当情報を信号分離部２０２へ出力する。また、DCI受信部２０３は、DCIに含まれるModeに対応するビット情報（基地局１００で選択されたMode）を信号分離部２０２へ出力する。
【００３９】
復調部２０４は、信号分離部２０２から入力される信号を復調し、復調後の信号を誤り訂正復号部２０５へ出力する。
【００４０】
誤り訂正復号部２０５は、復調部２０４から受け取る復調信号を復号し、得られた受信データ信号を出力し、得られた上位レイヤのシグナリングを設定情報受信部２０６へ出力する。
【００４１】
設定情報受信部２０６は、誤り訂正復号部２０５から出力される上位レイヤのシグナリンに含まれる設定情報に基づいて、データ割当に関する複数のModeにおいてデータ割り当てから除外するリソースの候補の周波数領域及び時間領域を示すパラメータを特定する。そして、設定情報受信部２０６は、複数のModeに関するパラメータを信号分離部２０２及び信号割当部２０９へ出力する。
【００４２】
誤り訂正符号化部２０７は、送信データ信号（ULデータ信号）を誤り訂正符号化し、符号化後のデータ信号を変調部２０８へ出力する。
【００４３】
変調部２０８は、誤り訂正符号化部２０７から入力されるデータ信号を変調し、変調後のデータ信号を信号割当部２０９へ出力する。
【００４４】
信号割当部２０９は、DCI受信部２０３から入力されるUL割当情報、Modeに対応するビット情報（基地局１００で選択されたMode）、及び、設定情報受信部２０６から入力される情報（複数のModeに関するパラメータ）に基づいて、ULデータの割り当てから除外されるリソースを特定し、ULデータが割り当てられるリソースを特定する。そして、信号割当部２０９は、変調部２０９から入力されたデータ信号を特定したリソースに割り当て、送信部２１０へ出力する。
【００４５】
送信部２１０は、信号割当部２０９から入力される信号に対してアップコンバート等の送信処理を施し、アンテナを介して送信する。
【００４６】
［基地局１００及び端末２００の動作］
以上の構成を有する基地局１００及び端末２００における動作について詳細に説明する。
【００４７】
図５は基地局１００及び端末２００の動作を示すシーケンス図である。
【００４８】
基地局１００は、データ割当の設定、つまり、データ割当に関する周波数領域又は時間領域の複数のMode（パターン）を設定する（ＳＴ１０１）。各Modeにおける周波数領域又は時間領域は、例えば、データ割当てから除外するリソース候補の周波数領域及び時間領域を示す。
【００４９】
基地局１００は、設定した複数のModeに関する設定情報（周波数領域又は時間領域を示すパラメータ）を、上位レイヤのシグナリング（SIB又はdedicated RRC）を用いて端末２００へ送信する（ＳＴ１０２）。
【００５０】
次いで、基地局１００は、データ割当の際、ＳＴ１０１で設定した複数のModeの中から１つのModeを選択し、選択したModeに基づいてデータの割当に使用可能なリソース領域を特定する（ＳＴ１０３）。例えば、基地局１００は、データの割当に使用可能なリソース領域をPRB毎に特定してもよい。
【００５１】
そして、基地局１００は、データ（DLデータ信号又はULデータ信号）の割当情報、及び、選択したModeを含むDCIを端末２００へ送信する（ＳＴ１０４）。
【００５２】
一方、端末２００は、ＳＴ１０２で受信した上位レイヤのシグナリングに含まれる設定情報（周波数領域及び時間領域）、及び、ＳＴ１０４で受信したDCIに基づいて、データの割当に使用可能なリソース領域を特定する（ＳＴ１０５）。例えば、端末２００は、データ割当に使用可能なリソース領域をPRB毎に特定してもよい。具体的には、端末２００は、複数のModeの中から、DCIで通知される１つのModeを選択し、選択したModeに関する設定情報を用いて、データ割当から除外するリソース領域、つまり、データ割当に使用可能なリソース領域を特定する。
【００５３】
そして、基地局１００及び端末２００は、特定したリソースを用いてデータ（DLデータ信号又はULデータ信号）を送受信する（ＳＴ１０６）。
【００５４】
このように、本実施の形態では、基地局１００は、データの割当情報を通知する際、データ割当の複数のMode（パターン）に関する設定情報（周波数領域又は時間領域を示すパラメータ）を上位レイヤシグナリングによって通知し、実際のデータ割当に使用する１つのMode（パターン）をDCIによって通知する。つまり、上位レイヤのシグナリングと、DCIとを併用してデータ割当の通知が行われる。
【００５５】
これにより、基地局１００は、データ割当の際に、DCIによって１つのMode（ビット情報）を通知すればよく、周波数領域又は時間領域に関する設定情報をデータ割当の度に通知する必要がなくなるので、DCIのシグナリングのオーバヘッドを削減しつつ、データ以外に使用される領域をデータ領域から除外できる。また、基地局１００は、DCIによって、複数のModeの中からデータ割当に使用するModeをダイナミックに変更できるので、柔軟にデータを割り当てることができる。
【００５６】
次に、本実施の形態に係る動作例１，２について説明する。
【００５７】
＜動作例１＞
基地局１００は、データ割当のModeとして、例えば、図６Ａに示す「Mode 1」及び図６Ｂに示す「Mode 2」を設定する。また、基地局１００は、上位レイヤのシグナリングを用いて、Mode 1及びMode 2に関する設定情報として、周波数領域「X0」及びデータの割り当てを開始するシンボルであるスタートシンボル「A0」、「A1」、「A2」を通知する。ここで、後述するように、A0はMode 1に関するパラメータであり、X0、A1、A2はMode 2に関するパラメータである。周波数領域X0は、例えば、PRB番号又はRBG番号で表されてもよい。
【００５８】
また、基地局１００は、DCIに含まれる１ビットを用いて、データ割当に使用するModeとして、Mode 1又はMode 2を端末２００へ通知する。
【００５９】
端末２００は、上位レイヤのシグナリングによって通知されたMode 1及びMode 2に関する設定情報のうち、DCIに示されるModeに対応する情報に基づいて、データが割り当てられるリソース領域を特定する。
【００６０】
ここで、各Modeでは、例えば、以下のようにデータが割り当てられる。
Mode 1：データはシンボルA0から割り当てられる。
Mode 2：周波数領域X0では、データはシンボルA1から割り当てられ、X0以外の周波数領域では、データはシンボルA2から割り当てられる。
【００６１】
また、設定情報として上位レイヤのシグナリングによって通知される｛X0,A0,A1,A2｝は、以下のように設定されてもよい。
周波数領域X0：UE specific control resource setと同一周波数領域
A0：Group common control resource setが配置されるシンボルの後ろのシンボル
A1：UE specific control resource setが配置されるシンボルの後ろのシンボル
A2：シンボル#0
【００６２】
つまり、Mode 1に関して、A0は、DLデータ信号が割り当てられる時間領域の開始位置（スタートシンボル）を示す。
【００６３】
また、Mode 2に関して、X0は、DL制御信号（例えば、UE specific DCI等）が割り当てられる周波数領域を示し、A1は、周波数領域X0においてDLデータ信号が割り当てられる時間領域の開始位置を示し、A2は、周波数領域X0以外の周波数領域においてDLデータ信号が割り当てられる時間領域の開始位置を示す。
【００６４】
すなわち、Mode 1では、端末２００は、図６Ａに示すように、データ（PDSCH）が割り当てられるデータリソース（DL割当情報に示されるリソース）に依らず、上位レイヤのシグナリングで通知されたスタートシンボル（A0）に基づいて、データ（PDSCH）が割り当てられるシンボルの開始位置を特定する。つまり、Mode 1では、データは、データリソースの全帯域においてシンボルA0から割り当てられる。
【００６５】
したがって、UE specific control resource set及びGroup common control resource setの両方と、データリソースとが周波数領域でオーバラップしている場合、又は、他の端末向けのUE specific control resource setとデータリソースとが周波数領域でオーバラップしている場合でも、これらの制御信号領域を避けて、端末２００に対するデータを配置することができる。
【００６６】
また、Mode 1は、ICIC（Inter Cell Interference Coordination）において前半のシンボル（例えば、シンボルA0以前のシンボル）との干渉を低減したい場合にも有効である。
【００６７】
一方、Mode 2では、端末２００は、図６Ｂに示すように、上位レイヤのシグナリングで通知された周波数領域（X0）及びスタートシンボル（A1,A2）に基づいて、データ（PDSCH）が割り当てられるリソースを特定する。つまり、Mode 2では、周波数領域X0と、周波数領域X0以外の領域とでデータが割り当てらえるシンボルの開始位置が異なる。
【００６８】
したがって、Mode 2は、例えば、図６Ｂに示すように、データリソースと周波数領域X0（UE specific control resource set）とがオーバラップしている場合に有効である。具体的には、端末２００に対するデータリソースのうち、周波数領域X0では、UE specific control resource setを避けてデータを配置でき、周波数領域X0以外の領域では、シンボル＃０（A2）からデータを配置できる。これにより、リソースを有効利用することができる。
【００６９】
なお、上記例では、周波数領域X0が、UE specific control resource setと同一周波数領域である場合について説明したが、周波数領域X0は、group common control resource setと同一領域としてもよく、UE specific control resource setとgroup common control resource setを合わせた周波数領域としてもよい。周波数領域X0を、UE specific control resource set又はgroup common control resource setと同一領域とすると、上位レイヤのシグナリングを削減することができる。
【００７０】
また、周波数領域X0は、PRB単位又はRBG（Resource Block Group）単位で通知されてもよい。周波数領域X0をPRB単位又はRBG単位で通知すると、基地局１００は、端末２００に対してリソースをより柔軟に指示できるので、他の端末に割り当てられるcontrol resource setの領域を避けたり、他の用途に使われる領域を避けたりすることができる。
【００７１】
また、スタートシンボルA0は、Group common control resource setに限らず、例えば、制御信号チャネルのうち最も後方に配置されるシンボルの後ろのシンボルでもよい。また、スタートシンボルA0,A1,A2は、Group common control resource set又はgroup common control resourceが配置されるシンボルの後ろのシンボルとしてもよく、シンボル番号を通知してもよい。また、A0とA2は同じ値としてもよく、A1とA2は同じ値としてもよい。
【００７２】
＜動作例２＞
動作例１では、上位レイヤのシグナリングを用いて２つのMode（Mode 1とMode 2）を用意し、DCIに含まれる１ビットを用いてMode 1とMode 2とを切り替える場合について説明した。これに対して、動作例２では、上位レイヤのシグナリングで４つのMode（Mode 1、Mode 2、Mode 3、Mode 4）を用意し、DCIに含まれる２ビットを用いてMode 1、Mode 2、Mode 3、Mode 4を切り替える場合について説明する。
【００７３】
図７は、動作例２に係るMode 1、Mode 2、Mode 3、Mode 4の一例を示す。
【００７４】
具体的には、基地局１００は、データ割当のModeとして、例えば、図７に示すMode 1〜Mode 4を設定する。また、基地局１００は、上位レイヤのシグナリングを用いて、Mode 1〜Mode 4に関する設定情報として、周波数領域「X0」、「X1」、及び、データのスタートシンボル「A0」,「A1」,「A2」,「A3」,「A4」,「A5」を通知する。ここで、後述するように、A0はMode 1に関するパラメータであり、A1はMode 2に関するパラメータであり、X0、A2、A3はMode 3に関するパラメータであり、X1、A4、A5はMode 4に関するパラメータである。周波数領域X0,X1は、例えば、PRB番号又はRBG番号で表されてもよい。
【００７５】
また、基地局１００は、DCIに含まれる２ビットを用いて、データ割当に使用するModeとして、Mode 1、Mode 2、Mode 3又はMode 4の何れか１つのModeを端末２００へ通知する。
【００７６】
端末２００は、上位レイヤのシグナリングによって通知されたMode 1〜Mode 4に関する設定情報のうち、DCIに示されるModeに対応する情報に基づいて、データが割り当てられるリソース領域を特定する。
【００７７】
ここで、各Modeでは、例えば、以下のようにデータが割り当てられる。
Mode 1：データはシンボルA0から割り当てられる。
Mode 2：データはシンボルA1から割り当てられる。
Mode 3：周波数領域X0では、データはシンボルA2から割り当てられ、X0以外の周波数領域では、データはシンボルA3から割り当てられる。
Mode 4：周波数領域X1では、データはシンボルA4から割り当てられ、X1以外の周波数領域では、データはシンボルA5から割り当てられる。
【００７８】
また、設定情報として上位レイヤのシグナリングによって通知される｛X0,X1,A0,A1,A2,A3,A4,A5｝は、以下のように設定されてもよい。
周波数領域X0：UE specific control resource setと同一周波数領域
周波数領域X1：UE specific control resource setとGroup common control resource setとを合わせた周波数領域
A0：Group common control resource setが配置されるシンボルの後ろのシンボル
A1：シンボル#0
A2：UE specific control resource setが配置されるシンボルの後ろのシンボル
A3：シンボル#0
A4：Group common control resource set又はUE specific control resource setが配置されるシンボルの後ろのシンボル
A5：シンボル#0
【００７９】
つまり、Mode 1に関して、A0は、DLデータ信号が割り当てられる時間領域の開始位置（スタートシンボル）を示す。
【００８０】
また、Mode 2に関して、A1は、DLデータ信号が割り当てられる時間領域の開始位置（スタートシンボル）を示す。
【００８１】
また、Mode 3に関して、X0は、DL制御信号（例えば、UE specific DCI等）が割り当てられる周波数領域を示し、A2は、周波数領域X0においてDLデータ信号が割り当てられる時間領域の開始位置を示し、A3は、周波数領域X0以外の周波数領域においてDLデータ信号が割り当てられる時間領域の開始位置を示す。
【００８２】
また、Mode 4に関して、X1は、DL制御信号（例えば、UE specific DCI又はgroup common PDCCH等）が割り当てられる周波数領域を示し、A4は、周波数領域X1においてDLデータ信号が割り当てられる時間領域の開始位置を示し、A5は、周波数領域X1以外の周波数領域においてDLデータ信号が割り当てられる時間領域の開始位置を示す。
【００８３】
図７のMode 1は、動作例１のMode 1（図６Ａ）と同様の動作である。すなわち、Mode 1では、端末２００は、図７に示すように、データ（PDSCH）が割り当てられるデータリソース（DL割当情報に示されるリソース）に依らず、上位レイヤのシグナリングで通知されたスタートシンボル（A0）に基づいて、データ（PDSCH）が割り当てられるシンボルの開始位置を特定する。つまり、Mode 1では、データは、データリソースの全帯域においてシンボルA0から割り当てられる。
【００８４】
Mode 2は、Mode 1とは異なるシンボル（図７ではシンボル＃０）からデータ割当が開始される。すなわち、Mode ２では、図７に示すように、データリソースに依らず、シンボル＃０からデータ（PDSCH）が割り当てられる。このようにMode 2ではシンボル＃０からデータが割り当てられるので、Mode 2は、例えば、端末２００に対して、control resource setとオーバラップしない周波数領域にデータが割り当てられた場合に有効である。
【００８５】
Mode 3では、動作例１のMode 2（図６Ｂ）と同様、周波数領域X0と、周波数領域X0以外の領域とでデータが割り当てられるスタートシンボルが異なる。Mode 3では、周波数領域X0では、UE specific control resource setを避けて、端末２００に対するデータを配置でき、周波数領域X0以外の領域では、シンボル＃０からデータを配置できる。これにより、リソースを有効利用できる。このように、図７のMode 3は、周波数領域X0（UE specific control resource set）とオーバラップしている周波数領域にデータが割り当てられた場合に有効である。
【００８６】
Mode 4では、Mode 3と同様、周波数領域X1と、周波数領域X1以外の領域とでデータが割り当てられるスタートシンボルが異なる。Mode 4では、周波数領域X1の領域では、制御信号を避けて、端末２００に対するデータを配置でき、周波数領域X1以外の領域では、シンボル＃０から端末２００に対するデータを配置できる。これにより、リソースを有効利用できる。このように、図７のMode 4は、周波数領域X1（UE specific control resource setとgroup common control resource set）とオーバラップしている周波数領域にデータが割り当てられた場合に有効である。ただし、UE specific control resource setとgroup common control resource setのシンボル数が異なる場合、シンボル数が長い方に合わせてA4を設定する必要がある。
【００８７】
なお、周波数領域X0、X1は、UE specific control resource setと同じ周波数領域としてもよく、group common control resource setと同じ領域としてもよく、UE specific control resource setとgroup common control resource setを合わせた周波数領域としてもよい。周波数領域X0、X1をUE specific control resource set又はgroup common control resource setと同じ領域とすると、上位レイヤのシグナリングを削減することができる。
【００８８】
また、周波数領域X0,X1は、PRB単位またはRBG単位で指示をしてもよい。周波数領域X0、X1をPRB単位またはRBG単位で指示をすると、基地局１００は、端末２００に対してリソースをより柔軟に指示できるので、他の移動局に割り当てられるcontrol resource setの周波数領域を避けたり、他の用途に使われる領域を避けたりすることができる。
【００８９】
また、スタートシンボルA0は、Group common control resource setに限らず、例えば、制御信号チャネルのうち最も後方に配置されるシンボルの後ろのシンボルでもよい。また、A0,A1,A2,A3,A3,A5は、Group common control resource set又はgroup common control resourceが配置されるシンボルの後ろのシンボルとしてもよく、シンボル番号を通知してもよい。また、A0,A1,A3,A5はシンボル＃0としてもよい。または、A0,A2,A4を同じ値としてもよく、A1,A3,A5を同じ値としてもよい。
【００９０】
以上、動作例１、２について説明した。例えば、基地局１００は、DLデータ信号（PDSCH）の割当リソース（データリソース）と、制御信号の割当リソース（control resource set）との関係（例えば、オーバラップの有無等）に基づいて、複数のModeの中からDLデータの割当リソースに適した１つのModeを選択すればよい。
【００９１】
このようにして、本実施の形態では、基地局１００は、データを割り当てるリソース領域の複数のModeに関する設定情報（例えば、X0,X1、A0,A1,A2,A3,A4,A5等）を上位レイヤシグナリングによって通知する。また、基地局１００は、複数のModeの中からデータ割当に使用する１つのModeを選択し、選択した１つのパターンをDCIによって通知する。端末２００は、上位レイヤシグナリングによって既に通知されている設定情報の中から、DCIによって通知されるModeに対応するパラメータを用いてリソースを特定する。
【００９２】
これにより、基地局１００は、端末２００に対してDCIによってModeを通知することにより、スロット毎に異なる用途の使用を考慮したダイナミックなリソース割当を行うことができる。また、基地局１００は、リソース割当を変更する際に、DCIを用いてModeを通知すればよく、リソース割当変更の度にリソース（例えば、周波数領域毎のデータのシンボル開始位置等）を通知する必要がないので、DCIのシグナリングオーバヘッドを削減することができる。
【００９３】
また、基地局１００は、制御信号チャネルが配置されるリソース（control resource set）に応じてModeを選択することにより、各スロットにおいて端末２００に割り当てないリソース領域を避けた柔軟なデータ割当を行うことができる。
【００９４】
よって、本実施の形態によれば、control resource setの配置される領域を考慮して、データ領域（データの開始位置）を適切に通知し、リソースを柔軟に割り当てることができる。
【００９５】
なお、group common PDCCHと呼ばれるスロットの構成を指示する制御信号によって、group common control resource set又はUE specific control resource setの領域がダイナミックに変更される場合、X0,X1等の周波数領域はgroup common PDCCHで指示される領域に従ってもよい。
【００９６】
また、X0,X1等の周波数領域、及び、A2,A4等の時間領域は、端末２００が検出したPDCCHによって可変としてもよい。例えば、X0は、端末２００がUE specific control resource set内で検出したPDCCH(DL割り当て又はUL割り当て、またはその両者)と同一の周波数領域とし、A2は、端末２００が検出したPDCCHの時間領域としてもよい。このようにすると、UE specific control resource set内で、PDCCH送信に使用したリソースのみをデータ割り当てから除外し、PDCCH送信に使用していないリソースは、データ割り当てに使用できる。このとき、X1はCommon control resource set全体又はUE specific control resource set全体、又は両者の全体の領域とし、Mode 3又はMode 4の切り替えによって、UE specific control resource setの一部分をデータに使用できるようにするか、全体とデータに使用できないようにするかを切り替えることもできる。
【００９７】
また、上記動作例では、周波数領域X0又はX1を使用するMode（Mode 3、Mode 4）と、X0及びX1を使用しないMode（Mode 1、Mode 2）とを半分ずつ用意する場合について説明したが、これに限定されるものではない。基地局１００は、全てのModeを周波数領域X0又はX1を使用するModeに設定してもよく、全てのモードを周波数領域X0及びX1を使用しないModeに設定してもよい。全てのModeが周波数領域を使用するModeである場合にはデータ割当の柔軟性が向上し、全てのModeが周波数領域を使用しないModeである場合には動作がシンプルになり、特にICIC又はCoMPを想定する場合に適している。
【００９８】
（実施の形態２）
実施の形態１では、時間領域においてデータの開始位置（スタートシンボル）を通知する場合について説明したのに対して、本実施の形態では、時間領域又は周波数領域においてデータ領域として使用されるシンボル（例えば、シンボル番号）又は周波数帯域（例えば、PRB）を通知する場合について説明する。
【００９９】
なお、本実施の形態に係る基地局及び端末は、実施の形態１に係る基地局１００及び端末２００と基本構成が共通するので、図３及び図４を援用して説明する。
【０１００】
以下では、一例として、１スロットは７シンボルで構成される。また、各シンボルの状態（タイプ）として、DLシンボル、ULシンボル、及び、その他の用途のシンボルの３つの状態があるとする。この場合、１スロット内の７シンボルについて、全ての状態のパターンを通知するには３の７乗（2187）通りを通知するビット数が必要となり、DCIで全ての情報を通知するとオーバヘッドが多くなるという課題がある。
【０１０１】
そこで、本実施の形態では、基地局１００は、まず、上位レイヤのシグナリング（SIB又はdedicated RRC）を用いて、DLシンボル、ULシンボル又は他の用途に使用されるシンボルによって構成されるスロット内のシンボル構成又は周波数帯域の構成の複数のパターンを示す設定情報を通知する。そして、基地局１００は、複数のパターンから１つのパターンを選択し、選択したパターンに基づいてデータの割当に使用可能なリソース領域（例えば、シンボル、PRB単位）を特定する。また、基地局は、選択したパターンをDCIによって端末２００へ通知する。
【０１０２】
一方、端末２００は、上位レイヤのシグナリングによってスロット内のシンボル構成又は周波数帯の構成を示す複数のパターンを受信する。そして、端末２００は、複数のパターンの中から、DCIで通知される１つのパターンを選択し、データ割当に使用可能なリソース領域（例えばシンボル、PRB単位）を特定する。
【０１０３】
これにより、基地局１００は、データ割当の際に、DCIによってシンボル構成又は周波数帯を示す１つのパターンを通知すればよく、データ割当の度に時間領域又は周波数領域においてデータ領域として使用されるリソースを通知する必要がなくなるので、DCIのシグナリングのオーバヘッドを削減することができる。また、基地局１００は、DCIによってスロット内のリソース構成の変更をダイナミックに変更できるので、柔軟にデータを割り当てることができる。
【０１０４】
次に、本実施の形態に係る動作例１，２について説明する。
【０１０５】
＜動作例１＞
動作例１ではスロット内のシンボルを通知する動作について説明する。
【０１０６】
基地局１００は、上位レイヤのシグナリングを用いて、１スロット内又は複数スロット内のDLシンボル、ULシンボル、その他の用途に使用されるシンボルの構成を通知する。以下では、スロット内のシンボル数を７とする。基地局１００は、上位レイヤのシグナリングの一例として、以下のパターン（ａ）〜（ｇ）のうち４パターンを選択する。
【０１０７】
１スロット毎の通知：
（ａ）７シンボル全てがDLシンボル
（ｂ）６シンボルがDLシンボル、１シンボルがULシンボル
（主にDLのデータ送信に使用、ULは制御信号の送信に使用）
（ｃ）５シンボルがDLシンボル、２シンボルがULシンボル
（主にDLのデータ送信に使用、ULは制御信号の送信に使用）
（ｄ）２シンボルがDLシンボル、５シンボルがULシンボル
（主にULのデータ送信に使用、DLは制御信号の送信に使用）
（ｅ）１シンボルがDLシンボル、６シンボルがULシンボル
(主にULのデータ送信に使用、DLは制御信号の送信に使用）
（ｆ）４シンボルがDLシンボル、３シンボルがその他の用途に使用されるシンボル
(前半をDLのデータ送信に使用、後半をミニスロット又はSidelink）
（ｇ）１シンボルがDLシンボル、６シンボルがその他の用途に使用されるシンボル
(主にその他のデータの送信に使用、DLは制御信号の送信に使用）
【０１０８】
複数スロット毎の通知：
基地局１００は、複数のスロットのパターンとして、上記１スロット毎のパターン（ａ）〜（ｇ）を複数個組み合わせて通知してもよい。
【０１０９】
例えば、基地局１００は、２スロット分のパターンをまとめて通知する場合、パターン（ａ）（ａ）とすると、２スロット内の１４シンボル全てがDLシンボルとなる。また、２スロット毎の通知の場合、端末２００は、２スロット毎にDCIをモニタしてもよい。
【０１１０】
また、複数スロット毎の通知の場合、以下の１スロット内のパターン（ｈ）、（ｉ）を追加して、基地局１００は、パターン（ａ）〜（ｉ）の中から４パターンを選択してもよい。
（ｈ）７シンボル全てがULシンボル
（ｉ）７シンボル全てがその他の用途に使用されるシンボル
【０１１１】
上位レイヤのシグナリングを用いて、さらに、長い周期でのパターンを通知してもよい。長い周期は、例えば、LTEでDL/UL configurationとして通知していたsubframe（1msec）単位でのDL,UL, special subframeと同等の通知を含んでもよい。LTEと同等の通知は、New RATの基地局とLTE基地局とが同一周波数帯に存在する場合、他セルに与える干渉の影響を低減できるという効果がある。
【０１１２】
上位レイヤのシグナリングを用いてシンボル構成のパターンを上記（ａ）〜（ｇ）（又は（ａ）〜（ｉ））から４パターン指定すると、基地局１００は、DCIに含まれる２ビットを用いて、１スロット毎又は複数スロット毎に、実際のデータ割当に使用するパターンを端末２００へ通知する。選択されたパターンを含むDCIは、例えば、group common PDCCH又はUE specific DCIで送信されてもよい。
【０１１３】
例えば、基地局１００から端末２００に対してDCIを用いて４スロット分のパターンが１スロット毎にパターン（ａ）、（ｃ）、（ｅ）、（ｆ）と通知された場合、スロット毎の割り当ては図８に示すようになる。
【０１１４】
端末２００は、DCIで通知されたパターンに基づいて、スロット内のDLシンボル、ULシンボル、その他の用途に使用されるシンボルを特定する。そして、端末２００は、特定したDLシンボルの位置（構成）により、DLデータ、制御信号、参照信号(CSI-RS（Channel State Information Reference signal)，（DMRS（Demodulation reference signal），CRS（cell specific Reference signal），PT-RS（Phase Tracking Reference Signal））をどのシンボルで送信すべきかを認識できる。また、端末２００は、特定したULシンボルの位置により、ULデータ、UL制御信号（ACK/NACK，CSI（Channel State Information），SR（Scheduling Request））、参照信号（DMRS，SRS（Sounding Reference Signal））をどのシンボルで送信すべきかを認識できる。
【０１１５】
なお、スロット毎のシンボルとしてDL,UL,その他の用途に使用されるシンボルの何れかを通知する場合について説明したが、DLのシンボルのみを通知、ULのシンボルのみを通知、又はその他の用途のシンボルのみを通知する上位レイヤのシグナリングとDCIとを個別に設定してもよい。
【０１１６】
また、スロット内のシンボル構成は上記（ａ）〜（ｉ）のパターンに限定されず、上位レイヤシグナリングによって通知されるパターン数は４個に限定されず、４個以外の他の個数でもよい。
【０１１７】
＜動作例２＞
動作例２ではスロット内の周波数領域を通知する動作について説明する。
【０１１８】
基地局１００は、上位レイヤのシグナリングを用いて、１スロット内又は複数スロット内における、DL、ULの周波数領域の構成の複数のパターン（Mode）に関する設定情報を通知する。周波数領域は、例えば、PRB番号又はRBG番号で表されてもよい。
【０１１９】
例えば、DCIを２ビットとする場合、基地局１００は、上位レイヤのシグナリングを用いて、各Mode 1〜4にそれぞれ対応するDL周波数領域X0, X1, X2, X3、及び、UL 周波数領域Y0, Y1, Y2, Y3を通知する。
Mode 1: DL 周波数帯  X0, UL周波数帯Y0
Mode 2: DL 周波数帯  X1, UL周波数帯Y1
Mode 3: DL 周波数帯  X2, UL周波数帯Y2
Mode 4: DL 周波数帯  X3, UL周波数帯Y3
【０１２０】
そして、基地局１００は、２ビットのDCIを用いて、データ割当に使用されるModeとして、Mode 1〜4の何れか１つのModeを端末２００へ通知する。
【０１２１】
端末２００は、上位レイヤのシグナリングを受信して、Mode 1〜4のDL周波数領域X0, X1, X2, X3、及び、UL周波数領域Y0, Y1, Y2, Y3を認識する。そして、端末２００は、DCIを受信して、１スロット又は複数スロット内の周波数領域を特定する。
【０１２２】
端末２００は、周波数領域を特定すると、DLのCSI-RSの配置又はモビリティのために測定するRSの配置が分かるので、データ割り当てがない領域のRSを使用することができる。また、端末２００は、ULでは、ACK/NACK, CSI,SRを送信すべき周波数帯域又はSRSを送信すべき帯域が分かる。
【０１２３】
なお、使用される周波数帯域幅によって、DLデータ又はULデータの割り当ての粒度であるRBG(PRB単位、2PRB単位、3PRB単位、4PRB単位)を変更してもよい。
【０１２４】
また、上記の一例では、DL周波数帯域とUL周波数帯域とを別途通知したが、DLとULとで共通の帯域を通知してもよい。また、DL周波数帯域とUL周波数帯域に加えて、その他の用途の周波数帯を追加で通知してもよい。
【０１２５】
以上、本実施の形態に係る動作例１、２について説明した。
【０１２６】
なお、動作例１と動作例２を組み合わせて、１スロット内又は複数スロット内のシンボル及び周波数領域を上位レイヤのシグナリングで通知してもよい。
【０１２７】
このように、本実施の形態では、基地局１００は、スロット内のリソース領域の構成を示す複数のパターン（Mode）に関する設定情報（例えば、上記（ａ）〜（ｉ）の中の一部、又は、X0, X1, X2, X3，Y0, Y1, Y2, Y3等）を上位レイヤシグナリングによって通知する。また、基地局１００は、複数のパターン（Mode）の中からデータ割当に使用する１つのパターン（Mode）を選択し、選択した１つのパターンをDCIによって通知する。端末２００は、上位レイヤシグナリングによって既に通知されている設定情報の中から、DCIによって通知されるパターン（Mode）に対応するパラメータを用いてリソースを特定する。
【０１２８】
これにより、基地局１００は、端末２００に対してDCIによってパターン（Mode）を通知することにより、スロット毎に異なる用途の使用を考慮したダイナミックなリソース割当を行うことができる。また、基地局１００は、スロット内の構成を変更する際に、DCIを用いてパターン（Mode）を通知すればよく、リソース割当変更の度にリソース（例えば、スロット内のデータのシンボル位置又は周波数帯等）を通知する必要がないので、DCIのシグナリングオーバヘッドを削減することができる。
【０１２９】
よって、本実施の形態によれば、データ領域（データのシンボル又は周波数帯）を適切に通知し、リソースを柔軟に割り当てることができる。
【０１３０】
（実施の形態３）
本実施の形態に係る基地局及び端末は、実施の形態１に係る基地局１００及び端末２００と基本構成が共通するので、図３及び図４を援用して説明する。
【０１３１】
実施の形態１では、データを割り当てない領域として、スロットの先頭に配置されるcontrol resource setを想定したのに対して、本実施の形態では、スロットの途中に挿入される信号（例えば、URLCCの信号）を想定する場合について説明する。
【０１３２】
URLLCの信号は、他の信号が送受信されるスロットを構成するシンボルよりも少ないシンボルで構成されるミニスロットで送受信されることが想定される。すなわち、ミニスロットは、スロットの一部分を使用する。よって、ミニスロットに使用されない領域は、他の信号の送受信に使用できる。そこで、ミニスロットに使用される領域を、スロット毎に通知することが考えられる。
【０１３３】
本実施の形態では、データ割当の柔軟性を高めるために、上位レイヤのシグナリングとDCIとを併用して、ミニスロットに使用される領域を通知する方法について説明する。
【０１３４】
以下、本実施の形態に係る動作例について説明する。
【０１３５】
基地局１００は、上位レイヤのシグナリングを用いて、ミニスロットが占有する可能性のある周波数領域X0及びシンボル番号Y0を、リソースがスロット単位で割り当てられる端末２００へ通知する。周波数領域は、例えば、PRB番号又はRBG番号で表される。
【０１３６】
また、基地局１００は、DCIに含まれる１ビットを用いて、データ割当に使用されるModeとして、後述するMode 1又はMode 2を通知する。
【０１３７】
端末２００は、上位レイヤのシグナリングによって通知された設定情報（X0、Y0）、及び、DCIに示されるMode 1又はMode 2に基づいて、データが割り当てられるリソース領域を特定する。
【０１３８】
ここで、各Modeでは、例えば、以下のようにデータが割り当てられる。
Mode 1：スロット単位で割り当てられた端末２００に対してデータを割り当てられた領域にデータが配置される(例えば、図９Ａを参照)。
Mode 2：スロット単位で割り当てられた端末２００に対してデータを割り当てられた領域のうち、周波数領域X0のシンボル番号Y0には、データが配置されない（例えば、図９Ｂを参照）。
【０１３９】
また、上位レイヤのシグナリングによって通知される｛X0,Y0｝は、以下のように設定されてもよい。
周波数領域X0：PRB#2〜PRB#5
時間領域Y0：シンボル#3,#4,#5
【０１４０】
上位レイヤシグナリングによって通知される設定情報に含まれる周波数領域X0及び時間領域Y0は、スロット内の身にスロットが占有する可能性のある一部のリソース領域を示す。また、DCIによって通知されるModeには、上記ミニスロットに対応する一部のリソース領域にデータを割り当てないMode 1、及び、上記ミニスロットに対応する一部のリソース領域にデータを割り当てるMode 2が含まれる。
【０１４１】
基地局１００は、例えば、スロット単位でリソースが割り当てられる端末２００、及び、ミニスロット単位でリソースが割り当てられる他の端末のリソース割当の状況に応じて、端末２００に対するModeを選択し、DCIによって選択したModeを通知する。
【０１４２】
これにより、Mode 1では、端末２００は、ミニスロットを使用する他の端末が存在しないと認識できるので、当該端末２００に割り当てられたリソースを全て使用することができる。
【０１４３】
また、Mode 2では、ミニスロットを使用する他の端末が存在する可能性があるので、端末２００に対して、ミニスロットに使用される可能性のある領域を避けて、データを配置することができる。
【０１４４】
このように、本実施の形態では、基地局１００は、スロット内の一部のリソース領域（ミニスロットに占有される可能性のある領域）に関する設定情報（例えば、上記X0,Y0等）を上位レイヤシグナリングによって通知する。また、基地局１００は、複数のModeの中からデータ割当に使用する１つのModeを選択し、選択した１つのパターンをDCIによって通知する。端末２００は、上位レイヤシグナリングによって既に通知されている設定情報、及び、DCIによって通知されるModeに基づいて、端末２００に割り当てられるリソースを特定する。
【０１４５】
これにより、基地局１００は、端末２００に対してDCIによってModeを通知することにより、スロット毎に異なる用途の使用を考慮したダイナミックなリソース割当を行うことができる。また、基地局１００は、スロット内のデータ領域の割当を変更する際に、DCIを用いてModeを通知すればよく、リソース割当変更の度にリソース（例えば、ミニスロットに占有されるリソース等）を通知する必要がないので、DCIのシグナリングオーバヘッドを削減することができる。
【０１４６】
よって、本実施の形態によれば、データ領域を適切に通知し、リソースを柔軟に割り当てることができる。
【０１４７】
なお、Mode数は２に限定するものではなく、３個以上のModeでもよい。その場合、ミニスロットとして使用されるリソースを複数通知することもでき、ミニスロットの領域の大きさを変更することもできる。
【０１４８】
また、ミニスロットとして使用される可能性のあるリソースを指定する周波数領域X0及び時間領域Y0は、連続する領域に限定するものではなく、連続しない領域を指定してもよい。
【０１４９】
また、スロットに挿入される信号は、URLLCの信号を想定したが、他の用途の信号でもよい。例えば、CSI-RS等の参照信号の挿入又はD2Dに使用されるSidelink、又は、干渉制御を目的として送信を避ける用途に使用してもよい。
【０１５０】
（実施の形態４）
実施の形態１では、主にDLのデータ（PDSCH）の割り当てを想定したのに対して、本実施の形態ではULのデータ（PUSCH：Physical Uplink Shared Channel）の割り当てを想定する場合について説明する。
【０１５１】
端末は、自機に割り当てられたACK/NACK、CSI、SR、SRS領域を認識することができるのに対して、他の端末に割り当てられている領域、又は、他の用途（例えば、Sidelink、URLLC、mMTC）に使用される領域を認識することができない。上述したように、基地局は、上位レイヤのシグナリングを用いて、端末に割り当てないリソース領域を通知し、当該リソース領域を避けてデータ割当を行うことも可能であるが、上位レイヤのシグナリングを用いたリソース領域の通知では、semi-staticな割り当てとなってしまう。New RATでは、スロット毎に異なる用途の使用が考えられるため、上位レイヤによる通知のみではリソース割当の柔軟性が低いという問題がある。
【０１５２】
そこで、本実施の形態では、実施の形態１と同様にして、ULデータに使用できる領域を上位レイヤのシグナリングとDCIとを組み合わせて通知する。
【０１５３】
本実施の形態に係る基地局及び端末は、実施の形態１に係る基地局１００及び端末２００と基本構成が共通するので、図３及び図４を援用して説明する。
【０１５４】
具体的には、基地局１００は、データ割当に関する周波数領域又は時間領域の複数のMode（パターン）を設定する。また、基地局１００は、設定した複数のModeに関する設定情報（周波数領域又は時間領域を示すパラメータ）を、上位レイヤのシグナリング（SIB又はdedicated RRC）を用いて端末２００へ送信する。
【０１５５】
また、基地局１００は、データ割当の際、複数のModeの中から１つのModeを選択し、選択したModeに基づいてULデータの割当に使用可能なリソース領域を例えばPRB毎に特定する。そして、基地局１００は、データの割当情報及び選択したModeを含むDCIを端末２００へ送信する。
【０１５６】
一方、端末２００は、受信した上位レイヤのシグナリングに含まれる設定情報、及び、DCIに基づいて、ULデータの割当に使用可能なリソース領域（例えば、PRB単位）を特定する。
【０１５７】
このように、本実施の形態では、基地局１００は、ULデータの割当情報を通知する際、ULデータ割当の複数のModeに関する設定情報を上位レイヤシグナリングによって通知し、実際のULデータ割当に使用する１つのModeをDCIによって通知する。つまり、上位レイヤのシグナリングと、DCIとを併用してULデータ割当の通知が行われる。
【０１５８】
これにより、実施の形態１（DL割り当て）と同様、基地局１００は、データ割当の際に、DCIによって１つのModeを通知すればよく、周波数領域又は時間領域に関する設定情報をデータ割当の度に通知する必要がなくなるので、DCIのシグナリングのオーバヘッドを削減しつつ、データ以外に使用される領域をデータ領域から排除できる。また、基地局１００は、DCIによって、複数のModeの中からデータ割当に使用するModeをダイナミックに変更できるので、柔軟にデータを割り当てることができる。
【０１５９】
以下、本実施の形態に係る動作例について説明する。
【０１６０】
以下では、実施の形態１の動作例２と同様に、上位レイヤのシグナリングで４つのMode（Mode 1、Mode 2、Mode 3、Mode 4）を用意し、DCIに含まれる２ビットを用いてMode 1、Mode 2、Mode 3、Mode 4を切り替える場合について説明する。
【０１６１】
図１０は、本動作例に係るMode 1、Mode 2、Mode 3、Mode 4の一例を示す。
【０１６２】
具体的には、基地局１００は、データ割当のModeとして、例えば、図１０に示すMode 1〜Mode 4を設定する。また、基地局１００は、上位レイヤのシグナリングを用いて、Mode 1〜Mode 4に関する設定情報として、周波数領域「X0」、「X1」、及び、データの終了シンボル「A0」,「A1」,「A2」,「A3」,「A4」,「A5」を通知する。ここで、後述するように、A0はMode 1に関するパラメータであり、A1はMode 2に関するパラメータであり、X0、A2、A3はMode 3に関するパラメータであり、X1、A4、A5はMode 4に関するパラメータである。周波数領域X0,X1は、例えば、PRB番号又はRBG番号で表されてもよい。
【０１６３】
また、基地局１００は、DCIに含まれる２ビットを用いて、データ割当に使用するModeとして、Mode 1、Mode 2、Mode 3又はMode 4の何れか１つのModeを端末２００へ通知する。
【０１６４】
端末２００は、上位レイヤのシグナリングによって通知されたMode 1〜Mode 4に関する設定情報のうち、DCIに示されるModeに対応する情報に基づいて、データが割り当てられるリソース領域を特定する。
【０１６５】
ここで、各Modeでは、例えば、以下のようにデータが割り当てられる。
Mode 1：データはシンボルA0まで割り当てられる。
Mode 2：データはシンボルA1まで割り当てられる。
Mode 3：周波数領域X0では、データはシンボルA2まで割り当てられ、X0以外の周波数領域では、データはシンボルA3まで割り当てられる。
Mode 4：周波数領域X1では、データはシンボルA4まで割り当てられ、X1以外の周波数領域では、データはシンボルA5まで割り当てられる。
【０１６６】
また、設定情報として上位レイヤのシグナリングによって通知される｛X0,X1,A0,A1,A2,A3,A4,A5｝は、以下のように設定されてもよい。
周波数領域X0：ACK/NACKと同一周波数領域
周波数領域X1：ACK/NACKとCSIとを合わせた周波数領域
A0：ACK/NACK、CSI、SRSが配置されるシンボルの前のシンボル
A1：スロットの最終シンボル
A2：ACK/NACKが配置されるシンボルの前のシンボル
A3：スロットの最終シンボル
A4：ACK/NACK又はCSIの前のシンボル
A5：スロットの最終シンボル
【０１６７】
つまり、Mode 1に関して、A0は、ULデータ信号が割り当てられる時間領域の終了位置を示す。
【０１６８】
また、Mode 2に関して、A1は、ULデータ信号が割り当てられる時間領域の終了位置を示す。
【０１６９】
また、Mode 3に関して、X0は、UL制御信号（例えば、ACK/NACK等）が割り当てられる周波数領域を示し、A2は、周波数領域X0においてULデータ信号が割り当てられる時間領域の終了位置を示し、A3は、周波数領域X0以外の周波数領域においてULデータ信号が割り当てられる時間領域の終了位置を示す。
【０１７０】
また、Mode 4に関して、X1は、UL制御信号（例えば、ACK/NACK、CSI等）が割り当てられる周波数領域を示し、A4は、周波数領域X1においてULデータ信号が割り当てられる時間領域の終了位置を示し、A5は、周波数領域X1以外の周波数領域においてULデータ信号が割り当てられる時間領域の終了位置を示す。
【０１７１】
すなわち、Mode 1では、端末２００は、図１０に示すように、データ（PUSCH）が割り当てられるデータリソース（UL割当情報に示されるリソース）に依らず、上位レイヤのシグナリングで通知された終了シンボル（A0）に基づいて、データ（PUSCH）が割り当てられるシンボルの終了位置を特定する。つまり、Mode 1では、データは、データリソースの全帯域においてシンボルA0まで割り当てられる。
【０１７２】
Mode 2は、Mode 1とは異なるシンボル（図１０ではスロットの最終シンボル）までデータが割り当てられる。すなわち、Mode ２では、図１０に示すように、データリソースに依らず、スロットの最終シンボルまでデータ（PUSCH）が割り当てられる。このように、Mode 2ではスロットの最終シンボルまでデータが割り当てられるので、Mode 2は、例えば、端末２００に対して、UL制御信号又は参照信号とオーバラップしない周波数領域にデータが割り当てられた場合に有効である。
【０１７３】
Mode 3では、周波数領域X0と、周波数領域X0以外の領域とでデータが割り当てられる終了シンボルが異なる。Mode 3では、端末２００は、周波数領域X0では、ACK/NACK（スロットの最終シンボル）を避けてデータを配置でき、周波数領域X0以外の領域では、スロットの最終シンボルまでデータを配置できる。これにより、リソースを有効利用できる。このように、Mode 3は、周波数領域X0（ACK/NACK）とオーバラップしている周波数領域にデータが割り当てられた場合に有効である。
【０１７４】
Mode 4では、Mode 3と同様、周波数領域X1と、周波数領域X1以外の領域とでデータが割り当てられる終了シンボルが異なる。Mode 4では、端末２００は、周波数領域X1では、制御信号（ACK/NACKとCSI）を避けてデータを配置でき、周波数領域X1以外の領域では、スロットの最終シンボルまでデータを配置できる。これにより、リソースを有効利用できる。このように、Mode 4は、周波数領域X1（ACK/NACKとCSI）とオーバラップしている周波数領域にデータが割り当てられた場合に有効である。ただし、ACK/NACKとCSIのシンボル数が異なる場合、シンボル数が長い方に合わせてA4を設定する必要がある。
【０１７５】
例えば、基地局１００は、ULデータ信号（PUSCH）の割当リソース（データリソース）と、制御信号（ACK/NACK、CSI等）の割当リソースとの関係（例えば、オーバラップの有無等）に基づいて、複数のModeの中からULデータの割当リソースに適した１つのModeを選択すればよい。
【０１７６】
なお、周波数領域X0、X1は、ACK/NACK、CSI、SRS又はSRと同じ周波数領域としてもよく、これらを合わせた周波数領域としてもよい。
【０１７７】
また、周波数領域X0,X1は、PRB単位またはRBG単位で指示をしてもよい。周波数領域X0、X1をPRB単位またはRBG単位で指示をすると、基地局１００は、端末２００に対してリソースをより柔軟に指示できるので、他の移動局に割り当てられる制御信号、参照信号又はデータの周波数領域を避けたり、他の用途に使われる領域を避けたりすることができる。
【０１７８】
また、A0,A1,A2,A3,A3,A5は、ACK/NACK、CSI、SRS又はSRが配置されるシンボルの前のシンボルとしてもよく、シンボル番号を通知してもよい。また、A0,A1,A3,A5はスロット又はsubframeの最終シンボルとしてもよい。または、A0,A2,A4を同じ値としてもよく、A1,A3,A5を同じ値としてもよい。
【０１７９】
このようにして、本実施の形態では、基地局１００は、データを割り当てるリソース領域の複数のModeに関する設定情報（例えば、X0,X1、A0,A1,A2,A3,A4,A5等）を上位レイヤシグナリングによって通知する。また、基地局１００は、複数のModeの中からデータ割当に使用する１つのModeを選択し、選択した１つのパターンをDCIによって通知する。端末２００は、上位レイヤシグナリングによって既に通知されている設定情報の中から、DCIによって通知されるModeに対応するパラメータを用いてリソースを特定する。
【０１８０】
これにより、基地局１００は、端末２００に対してDCIによってModeを通知することにより、スロット毎に異なる用途の使用を考慮したダイナミックなリソース割当を行うことができる。また、基地局１００は、リソース割当を変更する際に、DCIを用いてModeを通知すればよく、リソース割当変更の度にリソース（例えば、周波数領域毎のデータのシンボル開始位置等）を通知する必要がないので、DCIのシグナリングオーバヘッドを削減することができる。
【０１８１】
また、基地局１００は、制御信号チャネルが配置されるリソース（control resource set）に応じてModeを選択することにより、各スロットにおいて端末２００に割り当てないリソース領域を避けた柔軟なデータ割当を行うことができる。
【０１８２】
よって、本実施の形態によれば、UL制御信号の配置される領域を考慮して、データ領域（データの開始位置）を適切に通知し、リソースを柔軟に割り当てることができる。
【０１８３】
以上、本開示の各実施の形態について説明した。
【０１８４】
なお、上記実施の形態では、DCIに含まれる１ビット又は２ビットを用いてModeを通知する場合について説明したが、これに限定されず、DCIに含まれる２ビットより多くのビット数を用いてModeを通知してもよい。また、Mode数は、２個又は４個に限らず、他の個数でもよい。
【０１８５】
また、上記実施の形態では、周波数領域（PRB#）について、物理的なマッピングを一例として説明したが、論理的なマッピングについても適用することができる。論理的なマッピングの場合、論理的なマッピングから物理的なマッピングに変更されるので、論理的なマッピングにおいて連続している周波数領域であっても、物理的には離れた位置に配置されるので、周波数ダイバーシチ効果が得られる。
【０１８６】
また、上記DCIは、group common PDCCH、端末２００（UE）のデータ割り当て時に送信されるPDCCH（UE-specific DCI）、又は、group common control resource setで送信される他のPDCCHで送信されてもよい。Group common PDCCHでDCIが送信される場合、複数の端末が同じ設定を受信するのでオーバヘッドを削減できる。また、個別のPDCCHでDCIが送信される場合、端末毎に個別に設定できる。また、DCIは、group common resource set及びUE specific control resource setに限らず、他のリソースで送信されてもよい。
【０１８７】
また、group common PDCCHは、PCFICH(Physical Control Format Indicator channel)、PSFICH(Physical Slot Format Indicator channel)、又は、PDCCH type0等の異なる名称で定義される場合もある。
【０１８８】
また、group common control resource setは、common control resource set、group common search space又はcommon search spaceと呼ばれることもある。また、control resource setは、CORESETと呼ばれることもある。
【０１８９】
また、上位レイヤのシグナリングは、MACのシグナリングに置き換えてもよい。MACのシグナリングの場合、RRCのシグナリングと比較して、UEに設定するModeの変更の頻度を上げることができる。
【０１９０】
本開示はソフトウェア、ハードウェア、又は、ハードウェアと連携したソフトウェアで実現することが可能である。上記実施の形態の説明に用いた各機能ブロックは、部分的に又は全体的に、集積回路であるＬＳＩとして実現され、上記実施の形態で説明した各プロセスは、部分的に又は全体的に、一つのＬＳＩ又はＬＳＩの組み合わせによって制御されてもよい。ＬＳＩは個々のチップから構成されてもよいし、機能ブロックの一部または全てを含むように一つのチップから構成されてもよい。ＬＳＩはデータの入力と出力を備えてもよい。ＬＳＩは、集積度の違いにより、ＩＣ、システムＬＳＩ、スーパーＬＳＩ、ウルトラＬＳＩと呼称されることもある。集積回路化の手法はＬＳＩに限るものではなく、専用回路、汎用プロセッサ又は専用プロセッサで実現してもよい。また、ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。本開示は、デジタル処理又はアナログ処理として実現されてもよい。さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１９１】
本開示の基地局は、データを割り当てるリソース領域の複数のパターンの中からデータ割当に使用する１つのパターンを選択する回路と、前記複数のパターンに関する設定情報を上位レイヤシグナリングによって通知し、前記選択された１つのパターンを下り制御信号（DCI）によって通知する送信機と、を具備する。
【０１９２】
本開示の基地局において、前記設定情報は、下りリンクの前記データが割り当てられる時間領域の開始位置を示す。
【０１９３】
本開示の基地局において、前記設定情報は、下りリンクの制御信号が割り当てられる周波数領域、当該周波数領域において下りリンクの前記データが割り当てられる時間領域の開始位置、及び、当該周波数領域以外の周波数領域において下りリンクの前記データが割り当てられる時間領域の開始位置を示す。
【０１９４】
本開示の基地局において、前記設定情報は、下りリンクシンボル、上りリンクシンボル又は他の用途に使用されるシンボルによって構成されるスロット内のシンボル構成の複数のパターンを示す。
【０１９５】
本開示の基地局において、前記設定情報は、スロット内における、下りリンク、上りリンク又は他の用途に使用される周波数帯の構成の複数のパターンを示す。
【０１９６】
本開示の基地局において、前記設定情報は、スロット内の一部のリソース領域を示し、前記複数のパターンは、前記一部のリソース領域に前記データを割り当てるパターン、及び、前記一部のリソース領域に前記データを割り当てないパターンを含む。
【０１９７】
本開示の基地局において、前記設定情報は、上りリンクの前記データが割り当てられる時間領域の終了位置を示す。
【０１９８】
本開示の基地局において、前記設定情報は、上りリンクの制御信号が割り当てられる周波数領域、当該周波数領域において上りリンクの前記データが割り当てられる時間領域の終了位置、及び、当該周波数領域以外の周波数領域において上りリンクの前記データが割り当てられる時間領域の終了位置を示す。
【０１９９】
本開示の端末は、データを割り当てるリソース領域の複数のパターンに関する設定情報を含む上位レイヤシグナリングを受信し、前記複数のパターンの中からデータ割当に使用する１つのパターンを示す下り制御信号（DCI）を受信する受信機と、前記設定情報及び前記下り制御信号に基づいて、前記データが割り当てられるリソースを特定する回路と、を具備する。
【０２００】
本開示の通信方法は、データを割り当てるリソース領域の複数のパターンの中からデータ割当に使用する１つのパターンを選択し、前記複数のパターンに関する設定情報を上位レイヤシグナリングによって通知し、前記選択された１つのパターンを下り制御信号（DCI）によって通知する。
【０２０１】
本開示の通信方法は、データを割り当てるリソース領域の複数のパターンに関する設定情報を含む上位レイヤシグナリングを受信し、前記複数のパターンの中からデータ割当に使用する１つのパターンを示す下り制御信号（DCI）を受信し、前記設定情報及び前記下り制御信号に基づいて、前記データが割り当てられるリソースを決定する。
【０２０２】
本開示の一態様は、移動通信システムに有用である。
【符号の説明】
【０２０３】
１００  基地局
１０１  設定部
１０２  DCI生成部
１０３，２０７  誤り訂正符号化部
１０４，２０８  変調部
１０５，２０９  信号割当部
１０６，２１０  送信部
１０７，２０１  受信部
１０８，２０２  信号分離部
１０９，２０４  復調部
１１０，２０５  誤り訂正復号部
２００  端末
２０３  DCI受信部
２０６  設定情報受信部
【図１】
2018168189.tif 000003
【図２】
2018168189.tif 000004
【図３】
2018168189.tif 000005
【図４】
2018168189.tif 000006
【図５】
2018168189.tif 000007
【図６Ａ】
2018168189.tif 000008
【図６Ｂ】
2018168189.tif 000009
【図７】
2018168189.tif 000010
【図８】
2018168189.tif 000011
【図９Ａ】
2018168189.tif 000012
【図９Ｂ】
2018168189.tif 000013
【図１０】
2018168189.tif 000014
【国際調査報告】
2018168189.tif 000015
2018168189.tif 000016
2018168189.tif 000017
2018168189.tif 000018